(57)【要約】【課題】  主としてカメラの固定に使用される三脚において、脚子に設けた偏心機構により各脚子のロック及び解除を同時に行う伸縮自在三脚を提供するものである。【解決手段】  本発明の伸縮自在三脚は、フレキシブルワイヤー１３に連結されたテレスコープ式の内伸縮脚子１６と、偏心機能を有するテレスコープ式の外伸縮脚子１５とから構成されてなり、前記テレスコープ式の内伸縮脚子１６と前記テレスコープ式の外伸縮脚子１５とは、２重管構造に形成され、両者が先端部分で脚子固定ネジ１７により連結されて前記内伸縮脚子１６の回転を前記外伸縮脚子１５に同時に伝達して回転させ、前記外伸縮脚子１５の円弧面を有する半筒体を向かい合わせに偏心して結合した偏心機能により前記外伸縮脚子１５の固定と解除とを行うものである。【選択図】  図２
2004286231.tif 000002
【特許請求の範囲】
【請求項１】
雲台の下部に設けた回転ギアと、該回転ギアと噛合うウォームギアと、該ウォームギアを回転する同時操作ハンドルと、前記回転ギアとパイプ状に一体に連結された同時操作中心ギアと、該同時操作中心ギアに噛合う３つの脚個別調整遊星ギアと、該脚個別調整遊星ギアに一体に連結された脚個別操作切替ダイヤルと、該脚個別操作切替ダイヤルに係脱自在に固定された脚個別操作ハンドルと、該操作ハンドルに連結され、前記脚個別調整遊星ギアの中心を通って脚取付部へ延びるフレキシブルワイヤーと、該フレキシブルワイヤーに連結されたテレスコープ式の内伸縮脚子と、該内伸縮脚子の外側に同心状に配置されて先端を前記内伸縮脚子に固定され、円弧面を有する半筒体を向かい合わせに偏心して結合し、結合部側面縦方向に段部が形成された偏心機能を有するテレスコープ式の外伸縮脚子とから構成されてなることを特徴とする伸縮自在三脚。
【請求項２】
前記テレスコープ式の内伸縮脚子と前記テレスコープ式の外伸縮脚子とは、２重管構造に形成され、両者が先端部分で連結されて前記内伸縮脚子の回転を前記外伸縮脚子に同時に伝達して回転させ、前記外伸縮脚子の円弧面を有する半筒体を向かい合わせに偏心して結合した偏心機能により前記外伸縮脚子の固定と解除とを行うことを特徴とする請求項１記載の伸縮自在三脚。
【発明の詳細な説明】
【技術分野】
【０００１】
本発明は、高さ位置に物品を固定する三脚、主としてカメラの固定に使用される三脚を同時に調整することができる伸縮自在三脚に関する。
【背景技術】
【０００２】
従来、カメラ用の三脚には、三脚間の連結機構がチョウネジ式、ロックナット式、レバー式といった構造のものが知られている。
しかし、三脚の全長を調整するには夫々のクランプを手動で緩めたり締め付けたりして調整していたし、また途中での調整には、三脚はできるだけ太い部分を使用したいため、先端側の細い部分を短縮していた。
そのため、三脚の設定作業を早く、しかも楽に行うために三脚を同時に調整することができるカメラ用三脚の開発が望まれている（特許文献１を参照）。
上記公知技術は、カメラの下方に延びるように取り付けられ、長手方向に２本以上の脚素子に分割され、各脚素子が互いに長手方向に滑らかに摺動して全長を伸縮するように連結された脚と、この脚を伸長させる場合の伸長距離を確保するように脚素子間に設ける逆流防止機構と、この脚を短縮させる場合、最上部の逆流防止機構の逆流防止状態を解除すれば、順次下部脚素子の逆流防止機構の逆流状態を解除する逆流防止解除機構を備えたカメラ用三脚である。
【０００３】
【特許文献１】特開２００３−９７７９１号公報
【発明の開示】
【発明が解決しようとする課題】
【０００４】
本発明は、主としてカメラの固定に使用される三脚において、脚子に設けた偏心機構により各脚子のロック及び解除を同時に行う伸縮自在三脚を提供するものである。
【課題を解決するための手段】
【０００５】
本発明の伸縮自在三脚は、雲台の下部に設けた回転ギアと、該回転ギアと噛合うウォームギアと、該ウォームギアを回転する同時操作ハンドルと、前記回転ギアとパイプ状に一体に連結された同時操作中心ギアと、該同時操作中心ギアに噛合う３つの脚個別調整遊星ギアと、該脚個別調整遊星ギアに一体に連結された脚個別操作切替ダイヤルと、該脚個別操作切替ダイヤルに係脱自在に固定された脚個別操作ハンドルと、該操作ハンドルに連結され、前記脚個別調整遊星ギアの中心を通って脚取付部へ延びるフレキシブルワイヤーと、該フレキシブルワイヤーに連結されたテレスコープ式の内伸縮脚子と、該内伸縮脚子の外側に同心状に配置されて先端を前記内伸縮脚子に固定され、円弧面を有する半筒体を向かい合わせに偏心して結合し、結合部側面縦方向に段部が形成された偏心機能を有するテレスコープ式の外伸縮脚子とから構成されてなるものである。
また、前記テレスコープ式の内伸縮脚子と前記テレスコープ式の外伸縮脚子とは、２重管構造に形成され、両者が先端部分で連結されて前記内伸縮脚子の回転を前記外伸縮脚子に同時に伝達して回転させ、前記外伸縮脚子の円弧面を有する半筒体を向かい合わせに偏心して結合した偏心機能により前記外伸縮脚子の固定と解除とを行うものである。
【発明の効果】
【０００６】
本発明の伸縮自在三脚によれば、カメラを固定する雲台のすぐ下部に三脚用の同時操作ハンドルを設けているので、立った姿勢で各脚子のロック及び解除操作をスピーディに行うことができる効果がある。
また、本発明の伸縮自在三脚によれば、一脚の高さ調節も脚取付部に設けた脚個別操作ハンドルの切替により立った姿勢で行うことができ、従来の如く脚子下端のロックナット等を片方の手で緩めながら片方の手で雲台を支えるような無理な姿勢になることなく、安定した姿勢で高さ調節を行える。
本発明の伸縮自在三脚によれば、２重管構造の脚子内部に設けた偏心機構により各脚子のロック及び解除を同時に行うことができるので、各脚子の外部表面には突出物が形成されることなくスッキリとした外観となる効果がある。
また、本発明の伸縮自在三脚によれば、重力を利用して逆流を防止するものでないため、ロック位置は手動の同時操作ハンドルで任意の位置で操作できるので、狙ったポイントで安定して三脚を固定することができる。
【発明を実施するための最良の形態】
【０００７】
本発明の伸縮自在三脚は、雲台の下部に設けた回転ギアと、該回転ギアと噛合うウォームギアと、該ウォームギアを回転する同時操作ハンドルと、前記回転ギアとパイプ状に一体に連結された同時操作中心ギアと、該同時操作中心ギアに噛合う３つの脚個別調整遊星ギアと、該脚個別調整遊星ギアに一体に連結された脚個別操作切替ダイヤルと、該脚個別操作切替ダイヤルに係脱自在に固定された脚個別操作ハンドルと、該操作ハンドルに連結され、前記脚個別調整遊星ギアの中心を通って脚取付部へ延びるフレキシブルワイヤーと、該フレキシブルワイヤーに連結されたテレスコープ式の内伸縮脚子と、該内伸縮脚子の外側に同心状に配置されて先端を前記内伸縮脚子に固定され、円弧面を有する半筒体を向かい合わせに偏心して結合し、結合部側面縦方向に段部が形成された偏心機能を有するテレスコープ式の外伸縮脚子とから構成されたものである。
また、前記テレスコープ式の内伸縮脚子と前記テレスコープ式の外伸縮脚子とは、２重管構造に形成され、両者が先端部分で連結されて前記内伸縮脚子の回転を前記外伸縮脚子に同時に伝達して回転させ、前記外伸縮脚子の円弧面を有する半筒体を向かい合わせに偏心して結合した偏心機能により前記外伸縮脚子の固定と解除とを行うものである。
【実施例】
【０００８】
以下、本発明の伸縮自在三脚の一実施例を図面に基づいて説明する。
本発明の伸縮自在三脚は、図１に全体構造の一部断面正面図を示し、図２に要部の拡大斜視図を示す。
カメラを載せる雲台１を下から支持する中心軸２を設け、前記雲台１の下部に前記中心軸２の周りを回転可能に設けた回転ギア３を設け、該回転ギア３の下方に前記回転ギア３とパイプ状に一体に連結され、前記中心軸２の周りを回転可能に設けた同時操作中央ギア４を設ける。
前記回転ギア３の外周には、前記回転ギア３に形成された歯車と噛合い、直交する方向に配置したウォームギア５を設け、該ウォームギア５の軸方向の端部には前記ウォームギア５を回転させる同時操作ハンドル６を設ける。
したがって、前記同時操作ハンドル６を回転すると、前記ウォームギア５が回転して前記回転ギア３を回転させ、さらに前記回転ギア３にパイプ状に連結されている前記同時操作中心ギア４を回転させる。
【０００９】
前記同時操作中心ギア４は、外周面に３つの脚個別調整遊星ギア７を備えており、前記同時操作中心ギア４を回転させることにより前記同時操作中心ギア４に噛合う前記脚個別調整遊星ギア７が夫々同一方向に同時に回転される。
なお、前記回転ギア３、前記ウォームギア５、前記同時操作中心ギア４及び前記脚個別調整遊星ギア７は、通常外側をカバーで覆われているが、説明のためにカバーを外して露出して示した。
図３に示すように、三脚の各脚子に位置する前記脚個別調整遊星ギア７の回転中心軸には図示しないカバーの上方に前記脚個別調整遊星ギア７に一体に連結された脚個別操作切替ダイヤル８を設ける。
図４に示すように、前記脚個別操作切替ダイヤル８には、中央に同心円状に自由回転する回転盤９が設けられると共に周縁面には挿入孔１０が一つ設けられる。
前記回転盤９に一端を固定された起伏自在な棒状の脚個別操作ハンドル１１が設けられ、該脚個別操作ハンドル１１の先端には直角にハンドルツマミ１２が設けられる。
図５に示すように、前記脚個別操作ハンドル１１を倒して前記挿入孔１０に前記ハンドルツマミ１２を挿入することにより前記脚個別操作切替ダイヤル８の回転が前記脚個別操作ハンドル１１に伝達されるし、前記脚個別操作ハンドル１１を起して前記挿入孔１０から前記ハンドルツマミ１２を引出すことにより前記脚個別操作切替ダイヤル８の回転が前記脚個別操作ハンドル１１に伝達されない。
【００１０】
図４に示すように、前記回転盤９にフレキシブルワイヤー１３の一端が固定され、該フレキシブルワイヤー１３の他端が内伸縮脚子１６に固定される。
前記フレキシブルワイヤー１３が前記脚個別調整遊星ギア７の中心を通って脚取付部１４へ延びるので、前記脚個別調整遊星ギア７の回転が挿入孔１０、ハンドルツマミ１２、脚個別操作ハンドル１１、回転盤９、前記フレキシブルワイヤー１３を介して前記内伸縮脚子１６に伝えられる。
また、前記中心軸２を支持する脚取付部１４の３方向には、図６に示す円弧面を有する半筒体を向かい合わせに偏心して結合し、結合部側面縦方向に段部が形成された外伸縮脚子１５を固定し、この外伸縮脚子１５が図１に示す三脚の基部となる。
さらに、前記外伸縮脚子１５には、内側に互いに摺動自在に結合した同心状に同形状で配置されたテレスコープ式の外伸縮脚子１５を設ける。
前述したように前記フレキシブルワイヤー１３には、図２に示すように前記外伸縮脚子１５の内部で内伸縮脚子１６が連結され、該内伸縮脚子１６は断面矩形状の角筒体を互いに摺動自在に結合し、テレスコープ式に伸縮できるようになっている。
すなわち、前記内伸縮脚子１６及び外伸縮脚子１５は、フランジ等の抜け防止構造を備えたテレスコープ式となっており、大径から小径へと段階的に径を小さくした略同一長さの長筒体の組み合わせからなる。
そして、図２及び図７に示すように、前記内伸縮脚子１６及び外伸縮脚子１５の先端は、脚子固定ネジ１７で両者を連結する。
したがって、前記フレキシブルワイヤー１３の回転により前記内伸縮脚子１６が回転されると、先端で脚子固定ネジ１７により前記内伸縮脚子１６及び外伸縮脚子１５が固定されているため、外伸縮脚子１５も同時に回転される。
【００１１】
次に、本発明の伸縮自在三脚の動作を図面に基づき、以下に説明する。
最初に、三脚を同時に操作するために、図５に示すように、３つの脚個別操作ハンドル１１のハンドルツマミ１２が脚個別操作切替ダイヤル８の挿入孔１０に挿入されていることを夫々確認する。
確認したら、図４に示す同時操作ハンドル６をロック解除側に右回転させ（例えば時計廻りに回転させ）、ウォームギア５に回転動力を与えると、回転ギア３が左回転して該回転ギア３とパイプ状で連結された同時操作中央ギア４が左回転し、該同時操作中央ギア４の３箇所に連結した脚個別調整遊星ギア７が同時に逆方向、すなわち右回転する。
更に、前記脚個別調整遊星ギア７から脚個別操作切替ダイヤル８、脚個別操作ハンドル１１とハンドルツマミ１２、回転盤９が同時に右回転し、フレキシブルワイヤー１３が右回転される。
前記フレキシブルワイヤー１３で連結された内伸縮脚子１６が夫々同時に同一方向に廻り、前記内伸縮脚子１６と外伸縮脚子１５とが固定されているため、一緒に外伸縮脚子１５を同方向に約９０〜１８０°右回転させる。
すると、脚取付部１４に取付けされている外伸縮脚子１５が固定であるため、次段の外伸縮脚子１５の側面縦方向結合部の段部が図６の締め付け（固定）状態から図６の締め付けない伸縮可能状態へ右回転して偏心解除機能が働き、外伸縮脚子１５のロック状態が三脚同時に解除され、重力により脚を伸ばすことが可能となる。
なお、図６に図示の実施例では、外伸縮脚子１５を９０°左回転（反時計回りの回転）した位置でロック固定されるようになっている。
【００１２】
各脚子を所定の高さに調整したら、次に同時操作ハンドル６をロック固定側に左回転させ（例えば反時計廻りに回転させ）、ウォームギア５に逆回転動力を与えると、回転ギア３が右回転して回転ギア３とパイプ状で連結された同時操作中央ギア４が右回転し、同時操作中央ギア４の３箇所に連結した脚個別調整遊星ギア７が同時に左回転する。
更に、脚個別操作切替ダイヤル８、脚個別操作ハンドル１１とハンドルツマミ１２、回転盤９が同時に逆回転し、フレキシブルワイヤー１３で連結された内伸縮脚子１６が夫々同時に同一方向に廻り、外伸縮脚子１５を約９０〜１８０°左回転させる。
すると、図６の締め付けない伸縮可能状態から図６の締め付け（固定）状態へ外伸縮脚子１５の偏心固定機能が働き、外伸縮脚子１５の解除状態が三脚同時にロックされ、脚が所定高さ位置に維持される。
なお、脚を短縮収納させる場合には、同時操作ハンドル６を右回転させロックを解除して図８に示すように前記内伸縮脚子１６及び外伸縮脚子１５を脚取付部１４に固定された外伸縮脚子１５内に収納することができるし、同時操作ハンドル６を左回転させロックして図８の収納状態を維持することができる。
【００１３】
次に、一脚単独の高さ調整について図面に基づき、以下に説明する。
高さ調整を行う一脚を選択したら、図４に示すように脚個別操作切替ダイヤル８の挿入孔１０から脚個別操作ハンドル１１を起してハンドルツマミ１２を抜き出して前記脚個別操作切替ダイヤル８と脚個別操作ハンドル１１との連結を解除する。
そして、前記脚個別操作ハンドル１１を左回転（反時計廻り回転）させて直接フレキシブルワイヤー１３を左回転させ、前記フレキシブルワイヤー１３で連結している内伸縮脚子１６と外伸縮脚子１５とを同時に動かし、外伸縮脚子１５の偏心解除機能が働きロック状態を解除する。
テレスコープ式の脚子をフリーにしたら、脚を任意の高さにして脚個別操作ハンドル１１を右回転（時計廻り回転）させ、前記フレキシブルワイヤー１３で連結している内伸縮脚子１６と外伸縮脚子１５とを同時に動かし、外伸縮脚子１５の偏心固定機能が働きロック状態に固定する。
一脚の単独調整が終了したら、脚個別操作ハンドル１１を倒してハンドルツマミ１２を脚個別操作切替ダイヤル８の挿入孔１０に挿入しておけば三脚同時操作を行うことができる。
【図面の簡単な説明】
【００１４】
【図１】本発明の伸縮自在三脚の全体構成を示す正面図である。
【図２】本発明の伸縮自在三脚の全体構成を示す要部拡大斜視図である。
【図３】本発明の同時操作中央ギアを示す概略説明図である。
【図４】本発明の伸縮自在三脚の要部断面正面図である。
【図５】本発明の脚個別操作ハンドルを示す要部断面正面図である。
【図６】本発明の内伸縮脚子及び外伸縮脚子を示す断面図である。
【図７】本発明の脚子全長を示す概略説明図である。
【図８】本発明の脚子収納を示す概略説明図である。
【符号の説明】
【００１５】
１  雲台
２  中心軸
３  回転ギア
４  同時操作中央ギア
５  ウォームギア
６  同時操作ハンドル
７  脚個別調整遊星ギア
８  脚個別操作切替ダイヤル
９  回転盤
１０  挿入孔
１１  脚個別操作ハンドル
１２  ハンドルツマミ
１３  フレキシブルワイヤー
１４  脚取付部
１５  外伸縮脚子
１６  内伸縮脚子
１７  脚子固定ネジ
【図１】
2004286231.tif 000003
【図２】
2004286231.tif 000004
【図３】
2004286231.tif 000005
【図４】
2004286231.tif 000006
【図５】
2004286231.tif 000007
【図６】
2004286231.tif 000008
【図７】
2004286231.tif 000009
【図８】
2004286231.tif 000010
【手続補正書】
【提出日】平成16年7月23日(2004.7.23)
【手続補正１】
【補正対象書類名】図面
【補正対象項目名】全図
【補正方法】変更
【補正の内容】
【図１】
2004286231.tif 000011
【図２】
2004286231.tif 000012
【図３】
2004286231.tif 000013
【図４】
2004286231.tif 000014
【図５】
2004286231.tif 000015
【図６】
2004286231.tif 000016
【図７】
2004286231.tif 000017
【図８】
2004286231.tif 000018